(57)【要約】【課題】照明機能付き時計において、複雑な構成を必要とせずに、色を変化させることで色を媒体として、情報を伝達し、また装飾効果を発揮する。【解決手段】照明機能付き時計において、波長が異なるＬＥＤ１１、１２、１３を複数設ける照明装置１０と、その照明装置の複数のＬＥＤに個別に電流を流す駆動回路１４と、その駆動回路を制御する制御回路１５と、その制御回路および照明装置に電力を供給する電池１６と、外部操作したとき制御回路で制御して駆動回路により複数のＬＥＤを一定の周期Ｔ内でそれぞれ個別に駆動するスイッチ（外部操作部材）１７とを備える。【選択図】図１
2008151651.tif 000002
【特許請求の範囲】
【請求項１】
波長が異なるＬＥＤを複数設ける照明装置と、
その照明装置の前記複数のＬＥＤに個別に電流を流す駆動回路と、
その駆動回路を制御する制御回路と、
その制御回路および前記照明装置に電力を供給する電池と、
外部操作したとき前記制御回路で制御して前記駆動回路により前記複数のＬＥＤを一定の周期Ｔ内でそれぞれ個別に駆動する外部操作部材と、
を備えてなることを特徴とする、照明機能付き時計。
【請求項２】
前記複数のＬＥＤのうちの１つ目の光の波長を６００ｎｍ以上６８０ｎｍ未満とし、２つ目の光の波長を５００ｎｍ以上６００未満とし、３つ目の光の波長を４５０以上５００未満としてなることを特徴とする、請求項１に記載の照明機能付き時計。
【請求項３】
前記複数のＬＥＤを互いに重ならないように駆動するとともに、一定の周期Ｔを１６．７ｍｓｅｃ以下としてなることを特徴とする、請求項１または２に記載の照明機能付き時計。
【請求項４】
前記電池として、外部の磁場が鎖交することでコイルに誘起電流を発生し、その誘起電流を整流回路で整流してその電力を蓄える二次電池を使用してなることを特徴とする、請求項１ないし３のいずれか１に記載の照明機能付き時計。
【請求項５】
前記外部操作部材を操作することにより、６００ｎｍ以上６８０ｎｍ未満のＬＥＤを、モールス信号のＳＯＳのタイミングで点灯してなることを特徴とする、請求項１ないし４のいずれか１に記載の照明機能付き時計。
【請求項６】
前記外部操作部材を操作することにより、前記照明装置の点灯と消灯とを切り換えるとともに、前記照明装置の色連続変化と色固定とを切り換え可能としてなることを特徴とする、請求項１ないし５のいずれか１に記載の照明機能付き時計。
【請求項７】
温度センサを備え、その出力を入力して前記制御回路で制御して前記駆動回路により前記照明装置を前記温度センサの出力に応じて駆動してなることを特徴とする、請求項１ないし６のいずれか１に記載の照明機能付き時計。
【請求項８】
前記電池の残量を検出する電池残量検出回路を備え、その電池残量検出回路の出力を入力して前記制御回路で制御して前記駆動回路により前記照明装置を前記電池残量検出回路の出力に応じて駆動してなることを特徴とする、請求項１ないし７のいずれか１に記載の照明機能付き時計。
【発明の詳細な説明】
【技術分野】
【０００１】
この発明は、波長が異なるＬＥＤを複数配置して照明色を変化する照明装置を備えてなる照明機能付き時計に関する。
【背景技術】
【０００２】
従来、この種の照明機能付き時計としては、ＥＬ機能を付けたものが古くから製品化されている。ＬＥＤを使用したものもあり、フルカラー照明を備えるものについても、特許文献１に記載されている。しかし、特許文献１には、制御については記載されていなかった。他方、カラー表示に関しては、特許文献２に記載されている。しかし、特許文献２に記載のものは、液晶によるカラー表示であるため、構成が複雑になり、時計本来の持つ携帯性を犠牲にするものであった。
【０００３】
人間にとって、色は、文字以上にイメージ情報として多くの情報を迅速に伝達できる可能性を秘めていると同時に、色を変化させることで外装以上に装飾効果を発揮できるものである。
【０００４】
【特許文献１】特開２００６-２９８９６号公報
【特許文献２】特開２００３-３５９０４号公報
【発明の開示】
【発明が解決しようとする課題】
【０００５】
以上の点に鑑み、この発明は、照明機能付き時計において、複雑な構成を必要とせずに、色を変化させることで色を媒体として、情報を伝達し、また装飾効果を発揮することを目的とする。
【課題を解決するための手段】
【０００６】
かかる目的を達成すべく、この発明は、照明機能付き時計において、
波長が異なるＬＥＤを複数設ける照明装置と、
その照明装置の前記複数のＬＥＤに個別に電流を流す駆動回路と、
その駆動回路を制御する制御回路と、
その制御回路および前記照明装置に電力を供給する電池と、
外部操作したとき前記制御回路で制御して前記駆動回路により前記複数のＬＥＤを一定の周期Ｔ内でそれぞれ個別に駆動する外部操作部材と、
を備えてなることを特徴とする。
【０００７】
そして、外部操作部材を操作することにより、制御回路で制御して駆動回路により複数のＬＥＤを一定の周期Ｔ内でそれぞれ個別に駆動し、照明装置の照明色を変化する。
【０００８】
照明装置の複数のＬＥＤのうち、１つ目の光の波長は６００ｎｍ以上６８０ｎｍ未満とし、２つ目の光の波長は５００ｎｍ以上６００未満とし、３つ目の光の波長は４５０以上５００未満とするとよい。また、複数のＬＥＤは、互いに重ならないように駆動するとともに、一定の周期Ｔを１６．７ｍｓｅｃ以下とするとよい。
【０００９】
電池としては、外部の磁場が鎖交することでコイルに誘起電流を発生し、その誘起電流を整流回路で整流してその電力を蓄える二次電池を使用するとよい。
【００１０】
外部操作部材を操作することにより、６００ｎｍ以上６８０ｎｍ未満のＬＥＤを、モールス信号のＳＯＳのタイミングで点灯するとよい。また、外部操作部材を操作することにより、照明装置の点灯と消灯とを切り換えるとともに、照明装置の色連続変化と色固定とを切り換え可能とするとよい。
【００１１】
温度センサを備え、その出力を入力して制御回路で制御して駆動回路により照明装置を温度センサの出力に応じて駆動するとよい。また、電池の残量を検出する電池残量検出回路を備え、その電池残量検出回路の出力を入力して制御回路で制御して駆動回路により照明装置を電池残量検出回路の出力に応じて駆動するとよい。
【発明の効果】
【００１２】
この発明によれば、外部操作部材を操作することにより、制御回路で制御して駆動回路により複数のＬＥＤを一定の周期Ｔ内でそれぞれ個別に駆動し、照明装置の照明色を変化するので、複雑な構成を必要とせずに、適宜色を変えて、色を媒体として、情報を伝達し、また装飾効果を発揮して趣きを増大することができる。
【００１３】
照明装置の複数のＬＥＤを６００ｎｍ以上６８０ｎｍ未満の波長のものと、５００ｎｍ以上６００未満の波長のものと、４５０以上５００未満の波長のものとすると、色の三原色（可視光）で構成して照明装置ですべての色を発し、最小限のＬＥＤで色バリエーションを増大することができる。
【００１４】
複数のＬＥＤを、互いに重ならないように駆動すると、消費電流を小さくして、電池を小型化することができる。また、一定の周期Ｔを１６．７ｍｓｅｃ以下とすると、一定の周期Ｔを短くしてちらついて違和感を感ずることなく、連続的な光として一様に見えるようにすることができる。
【００１５】
電池として、外部の磁場が鎖交することでコイルに誘起電流を発生し、その誘起電流を整流回路で整流してその電力を蓄える二次電池を使用すると、電池残量不足となったとき、電磁誘導により充電を行うことができ、電池交換のわずらわしさを解消することができる。
【００１６】
外部操作部材を操作することにより、６００ｎｍ以上６８０ｎｍ未満のＬＥＤを、モールス信号のＳＯＳのタイミングで点灯すると、緊急事態の際、外部操作により付近の人に対して、緊急性を感じる赤色照明とＳＯＳを表すモールス信号の両方で緊急性を伝達して、救助要請を行うことができる。
【００１７】
外部操作部材を操作することにより、照明装置の点灯と消灯とを切り換えるとともに、照明装置の色連続変化と色固定とを切り換え可能とすると、外部操作を行うことによりユーザーが自分で所望の照明を選択してオリジナル性を出すことができる。
【００１８】
温度センサを備え、その出力を入力して制御回路で制御して駆動回路により照明装置を温度センサの出力に応じて駆動すると、温度センサで体温を検知して照明色で体温を感覚的に報知することができる。
【００１９】
電池の残量を検出する電池残量検出回路を備え、その電池残量検出回路の出力を入力して制御回路で制御して駆動回路により照明装置を電池残量検出回路の出力に応じて駆動すると、照明色で充電量を表示することができる。
【発明を実施するための最良の形態】
【００２０】
以下、図面を参照しつつ、この発明の実施の最良形態につき説明する。
図１には、この発明による照明機能付き時計の回路構成を示す。
【００２１】
図中符号１０は、照明装置であり、文字板の周辺に波長が異なるＬＥＤ１１、１２、１３を３つ配置することにより構成する。この例では、１つ目のＬＥＤ１１の光の波長は６００ｎｍ以上６８０ｎｍ未満とし、２つ目のＬＥＤ１２の光の波長は５００ｎｍ以上６００未満とし、３つ目のＬＥＤ１３の光の波長は４５０以上５００未満としてなる。この例では、３つのＬＥＤを配置するが、３つに限らず、２つでもよいし、４つ以上でもよい。
【００２２】
符号１４は、駆動回路であり、照明装置１０の３つのＬＥＤ１１、１２、１３に個別に電流を流してそれぞれ独立に駆動する。符号１５は、制御回路であり、駆動回路１４を制御する。制御回路１５には、予め決定された駆動情報を保持してなる。符号１６は、電池であり、制御回路１５、駆動回路１４および照明装置１０に電力を供給する。
【００２３】
符号１７は、外装ケースの周囲などに設けて外部操作可能な外部操作部材としてのスイッチであり、制御回路１５の入力に接続してなり、外部操作したとき制御回路１５で制御して駆動回路１４により３つのＬＥＤ１１、１２、１３を一定の周期Ｔ内でそれぞれ個別に駆動する。
【００２４】
図２には、照明装置１０の駆動シーケンス例を示す。
例えば図２に示すように、スイッチ１７を操作することにより、一定周期Ｔ内で、はじめＬＥＤ１１をパルス幅ｔ１で点灯し、次いでＬＥＤ１２をパルス幅ｔ２で点灯し、最後にＬＥＤ１３をパルス幅ｔ３で点灯してひとつの色をつくり、以下周期Ｔを変えないでこれを繰り返す。
【００２５】
３つのＬＥＤ１１、１２、１３は、互いに重ならないように駆動するとともに、一定の周期Ｔを１６．７ｍｓｅｃ以下としてなる。これにより、消費電流を小さくして、電池を小型化することができ、また一定の周期Ｔを長くすると、ちらつきが生ずるので、周期Ｔを制限することによりちらついて視覚的に違和感を感ずることなく、連続的な光として一様に見えるようにすることができる。
【００２６】
ここで、ＬＥＤ１１、１２、１３のパルス幅ｔ１、ｔ２、ｔ３を変化することによって発光する色を変えることができる。周期Ｔを変えないで、例えば図３（Ａ）に示すようにパルス幅ｔ１、ｔ２、ｔ３を変化すると、発光する色を緑色とし、（Ｂ）に示すように変化すると、橙色とし、（Ｃ）に示すように変化すると、黄色とすることができる。
【００２７】
また、外部操作部材を適宜操作することにより、６００ｎｍ以上６８０ｎｍ未満のＬＥＤを、モールス信号のＳＯＳのタイミングで点灯するようにしてもよい。図４には、モールス信号のＳＯＳのシーケンスを示す。このようにすると、緊急事態の際、外部操作により付近の人に対して、緊急性を感じる赤色照明とＳＯＳを表すモールス信号の両方で緊急性を伝達して、救助要請を行うことができる。
【００２８】
また、外部操作部材を操作することにより、照明装置の点灯と消灯とを切り換えるとともに、照明装置の色連続変化と色固定とを切り換え可能としてもよい。制御回路１５から出力する複数のパターンで発光色の異なるパルスを、例えば外部操作部材であるスイッチ１７をオンするごとに可変する。または、スイッチ１７を１回オンするごとに、パターンが少しずつ変わって色が連続で変化し、変化している最中にスイッチ１７をオンすると、以降はその時点での色のパルスのパターンで出力するようにする。スイッチ操作で、点灯／消灯と、色の連続変化／色固定を切り換えるためには、後者の場合にスイッチ１７を１秒以上長押しするなどの方法がある。
【００２９】
図５には、この発明による照明機能付き時計の別の回路構成を示す。
図５に示す例では、図１に示す照明装置１０、駆動回路１４、制御回路１５、外部操作部材であるスイッチ１７を備える時計回路２０を設け、外部から交流磁場を鎖交することで誘起電流を発生するコイル２１と、その誘起電流を整流する整流回路２２と、その整流した電力を蓄えて前記時計回路２０に供給する二次電池２３とを設けてなる。
【００３０】
これにより、電池残量不足となったとき、電磁誘導により充電を行うことができ、電池交換のわずらわしさを解消することができる。
【００３１】
図６には、この発明による照明機能付き時計のまた別の回路構成を示す。
この例では、温度センサ２５を備え、その温度センサ２５の出力を図１に示す制御回路１５の入力に接続する。そして、制御回路１５で制御して予め制御回路１５に設定したパルス幅の比率を変化し、駆動回路１４により照明装置１０を温度センサ２５の出力に応じて駆動する。これにより、温度センサ２５で体温を検知してその検知結果に基づき照明色を変化し、体温を色により感覚的に報知することができる。
【００３２】
図７には、この発明による照明機能付き時計のまたさらに別の回路構成を示す。
図７に示す例では、電池の残量を検出する電池残量検出回路２７を備え、その電池残量検出回路２７の出力を入力して制御回路１５で制御して駆動回路１４により照明装置１０を電池残量検出回路２７の出力に応じて駆動してなる。この例では、電池として二次電池を用い、図５に示す例と同様に、外部から交流磁場を鎖交することで誘起電流を発生するコイル２１と、その誘起電流を整流する整流回路２２と、その整流した電力を蓄えて時計回路２０に供給する二次電池２３とを設けてなる。これにより、電池残量に応じて照明色を変えて、充電量を表示することができる。
【図面の簡単な説明】
【００３３】
【図１】この発明による照明機能付き時計の回路構成図である。
【図２】その照明機能付き時計に備える照明装置の駆動シーケンスの例を示す図である。
【図３】その照明機能付き時計に備える照明装置における３つのＬＥＤのパルス幅の比率を変化したときの発光例を示す図である。
【図４】モールス信号のＳＯＳのシーケンスを示す図である。
【図５】この発明による照明機能付き時計の別の回路構成図である。
【図６】この発明による照明機能付き時計のまた別の回路構成図である。
【図７】この発明による照明機能付き時計のまたさらに別の回路構成図である。
【符号の説明】
【００３４】
１０    照明装置
１１、１２、１３    ＬＥＤ
１４    駆動回路
１５    制御回路
１６    電池
１７    スイッチ（外部操作部材）
２０    時計回路
２１    コイル
２２    整流回路
２３    二次電池
２５    温度センサ
２７    電池残量検出回路
【図１】
2008151651.tif 000003
【図２】
2008151651.tif 000004
【図３】
2008151651.tif 000005
【図４】
2008151651.tif 000006
【図５】
2008151651.tif 000007
【図６】
2008151651.tif 000008
【図７】
2008151651.tif 000009